【事件の表示】
　平成　９年特許願第　８７０６８号「検眼装置のコントロールパネル装置」拒絶査定不服審判事件〔平成１０年１０月２３日出願公開、特開平１０−２８３１５２〕について、次のとおり審決する。
【結　論】
　本件審判の請求は、成り立たない。
【理　由】
第１．手続の経緯
　本願は、平成９年４月４日の出願であって、平成１６年８月４日付けの拒絶理由の通知に対して、その指定された期間内の同年１１月１日付けで意見書及び補正書が提出されたが、平成１７年３月１６日付けで拒絶査定がなされ、これに対して、同年５月１２日に拒絶査定に対する審判請求がなされるとともに、同年６月１３日付けで手続補正がなされたものである。
　
第２．平成１７年６月１３日付けの手続補正について、
　
［補正却下の決定の結論］平成１７年６月１３日付けの手続補正（以下、「本件補正」という。）を却下する。
　
［理由］
（１）補正後の本願発明
　本件補正により、特許請求の範囲の請求項１は、
「【請求項１】少なくとも自覚式検眼装置と検眼用視標呈示装置とを有する検眼装置の各装置をコントロールする検眼装置のコントロールパネル装置において、
　表示画面に表示された特定の入力対象を表す画像に操作手段を接触又は近接させるタッチ操作を行うことによって前記操作対象に入力を行うタッチパネル装置と、
　前記特定の入力対象を表す画像にタッチ操作を行ってこの特定の入力対象を反転表示させて選定したことを示した後に該タッチ操作と別個の入力操作をすることによって前記選定された特定の入力対象に対して前記タッチ操作とは異なる入力を行う外部入力装置とを有しており、
　前記特定の入力対象が視力値、球面度数、乱視度数、乱視軸角度、プリズム度数又は左右瞳孔間距離であり、これらの数値を入力するものであり、
　前記外部入力装置が、回転操作によって前記数値を変化させて選定・決定して前記表示画面に表示した数値の度数のレンズに交換する装置を有するものであることを特徴とする検眼装置のコントロールパネル装置。」
と補正された。
　
　本件補正は、平成１６年１１月１日付けの手続補正書における請求項１を削除し、請求項１を引用する請求項２を新たな請求項１にし、さらに、発明の構成要件である「外部入力装置」について「表示画面に表示した数値の度数のレンズに交換する」との限定を付加し、同じく「特定の入力対象を選定」することについて「反転表示させて選定したことを示」すとの限定を付加するものであって、特許法第１７条の２第４項第２号の特許請求の範囲の減縮を目的とするものに該当する。
　
　そこで、本件補正後の前記請求項１に係る発明（以下、「本願補正発明」という。）が特許出願の際独立して特許を受けることができるものであるか（特許法第１７条の２第５項において準用する同法第１２６条第５項の規定に適合するか）について以下に検討する。
　
（２）刊行物の記載
　
　刊行物１記載発明 
　
　原査定の拒絶の理由に引用された特開平５−１７７６８６号公報（平成５年７月２０日出願公開。以下、「刊行物１」という。）には、成型機のコントローラについて図面とともに、以下の事項が記載されている。
　
【０００６】
【実施例】以下、本発明の好適な実施例について添付図面と共に詳述する。本実施例においては、成形機を構成する被制御体の例として、射出成形機の射出スクリュを駆動する油圧式アクチュエータの作動油を挙げ、その予備加熱を管理するコントローラについて説明する。１２は温度制御部であり、ポンプで押し出された作動油１４を絞り弁を通過させることにより発熱させ、加熱する公知の作動油昇温システムである。１６は温度検出部の一例である温度センサであり、作動油１４の温度を検出する。温度センサ１６は例えばサーミスタを含み、作動油１４を収容するタンク（不図示）内において、作動油１４に浸漬するよう取付られている。１８は入力部の一例であるキーボードであり、数値入力用のテンキーを含む。キーボード１８からは、作動油１４の加熱のために温度制御部１２を作動させる所定時間、および温度制御部１２の作動を停止させる作動油１４の所定温度を入力可能になっている。その他、キーボード１８からはコマンド、制御データ等が入力される。
【０００７】２０は入力部の一例であるタッチパネルであり、透明な材料で形成され、後述するディスプレイの画面を被覆するように配設されている。タッチパネル２０には多数のタッチ接点が設けられており、少なくとも画面に表示されているタッチエリアに対応する部分にはタッチ接点が設けられている。タッチ接点を選択的に閉塞状態にすることにより、ディスプレイの画面上に表示されているタッチエリアで指定される前記所定時間および所定温度等の入力項目を選択し、キーボード１８から対応する数値データを入力可能になっている。２２はカラーＣＲＴディスプレイである。ディスプレイ２２には、タッチパネル２０を介して選択される前記所定時間および所定温度等の入力項目とそのタッチエリア、キーボード１８から入力される前記所定時間および所定温度等の数値データが表示される。その他、ディスプレイ２２にはデータ処理された情報等を表示可能になっている。
　
【００１０】続いて、動作例について説明する。まず、キーボード１８および／またはタッチパネル２０を操作して作動油１４の予備加熱を行う旨をＭＰＵ２８へ入力する。すると、ＭＰＵ２８はＲＯＭ３２から該当する制御プログラム、データを読み出し、ＲＡＭ３０をクリアし、前記所定時間、所定温度等の必要制御データをＲＡＭ３０に記憶する等の準備を行う。その後、ＭＰＵ２８はディスプレイ２２へ図２に示す入力操作用の画面を表示する。図２において、表示「油温昇温モニタ温度」は作動油１４を加熱した後、温度制御部１２の作動を停止させる作動油１４の所定温度（目標温度）を示し、タッチエリアＴ１内に数値表示される。目標温度を入力する場合は、タッチエリアＴ１に対応するタッチパネル２０のタッチ接点を操作し、ストローク基準値の入力指定を行い、キーボード１８から目標温度値を数値入力する。
　
　これらの記載によれば、刊行物１には、次の発明（以下、「刊行物１記載発明」という。）が記載されているものと認められる。
　
　「作動油の予備加熱を管理するコントローラにおいて、
　キーボード１８からは、作動油１４の加熱のために温度制御部１２を作動させる所定時間、および温度制御部１２の作動を停止させる作動油１４の所定温度を入力可能になっており、
　タッチ接点を選択的に閉塞状態にすることにより、ディスプレイの画面上に表示されているタッチエリアで指定される前記所定時間および所定温度等の入力項目を選択するタッチパネルと、
　タッチエリアに対応するタッチパネルのタッチ接点を操作し、ストローク基準値の入力指定を行い、キーボード１８から目標温度値を数値入力する、コントローラ。」
　
　周知刊行物２の記載
　
　原査定の拒絶の理由に引用された実願平１−１４８９４０号（実開平３−８８５０２号）のマイクロフィルム（平成３年９月１０日出願公開。以下、「周知刊行物２」という。）には、自覚式検眼装置について図面とともに、以下の事項が記載されている。
　
　「第２図は自覚式検眼装置の操作ボード２を示す斜視図である。この操作ボード２は表示に液晶が使用されており、表示部６の表面の所定位置に周知のタッチパネルが配設された構造になっている。表示部６上には、各チャートに対して予想される被験者の様々な応答がシンボル化された図柄となって表示される。図柄の表面のタッチパネルに指を触れることでキーとして機能が働き電気信号の出力を可能にしている。
　第３図は装置全体のブロック図である。第４図は検眼の流れの中で装置がどの様に働くかを示したフローチャートである。これらの図を用いて以下に装置の働きを説明する。まず各チャートの見え具合を被検者に質問して、被検者からの応答を聞く。この時液晶表示上には予想される被検者の応答が、シンボル化した図柄でしめされている。検者は被検者の応答のまま、シンボル化した図柄の部分を押す。指が触れるとタッチパネルがキーとして働き制御部に電気信号を出力する。
　操作ボード６のタッチパネルが３の出力を受けると、制御部９は次に動かすべきチャート、レンズを予め組み込まれているプログラムに従い、チャートの場合はリモコン対応の発光をチャート装置４に対して発光部が行い、レンズの場合はレンズ交換装置８のモーターを駆動させる。」（第１０頁第８行乃至第１１頁第１２行）
　
　周知刊行物３の記載
　
　原査定の拒絶の理由に引用された特開平８−２９９２７０号公報（平成８年１１月１９日出願公開。以下、「周知刊行物３」という。）には、検眼装置に関して、図面とともに、以下の事項が記載されている。
　
【０００２】
【従来の技術】従来の検眼装置においては、スイッチやノブ等の操作部と、被検眼を表示するモニタとがそれぞれ別々に設けられており、検者はモニタで被検眼を観察した後に、モニタと別の個所に設けられた操作部を操作して測定を行っている。また、操作の種類が多い場合には、それに応じて操作部が設けられ、操作部としてタッチパネルを使用する検眼装置も知られている。
　
　周知刊行物４の記載
　
　原査定の拒絶の理由に引用された特開平６−１６１４３８号公報（平成６年６月７日出願公開。以下、「周知刊行物４」という。）には、電子楽器のデータ入力装置に関して、図面とともに、以下の事項が記載されている。
　
【００２９】なお、機能選択フィールド１４ａに表示される機能名称は、その機能を表す名称を文字で直接表示するようにしてもよいが、上記各機能を数字や記号等に対応させて表示するようにしてもよい。
【００３０】パラメータ設定フィールド１４ｂは、上記機能選択フィールド１４ａで選択された機能に対して設定すべきパラメータを与えるために使用される。このパラメータ設定フィールド１４ｂは、ダイヤル１６の操作に応じて数字が順次増減される。
【００３１】このパラメータ設定フィールド１４ｂを用いて設定するパラメータは、例えば、音色切換機能が選択されている場合は、１（ピアノ）、２（オルガン）、３（ギター）、…等のように音色の種類を示す数字である。なお、この場合、音色名称を直接文字で表示するようにしてもよい。
　
　周知刊行物５の記載
　
　原査定の拒絶の理由に引用された特開平７−２３９７３９号公報（平成７年９月１２日出願公開。以下、「周知刊行物５」という。）には、数値又は文字変更設定装置に関して、図面とともに、以下の事項が記載されている。
　
【０００３】図１は、数値又は文字変更設定装置２０の一例のブロック図を示している。表示器１４は、設定しようとする複数の桁の数値又は文字を表示する。ここでは、７桁の数値まで設定できる例を示す。数値を変更する桁には、カーソル１３が表示される。このカーソル１３が表示される位置（桁）は、桁下げボタン１１及び桁上げボタン１２で移動する。即ち、桁下げボタン１１を押す毎にカーソル１３は下位の桁に移動し、桁上げボタン１２を押す毎にカーソル１３は上位の桁に移動する。桁下げボタン１１及び桁上げボタン１２を何回か押して数値を変更する桁を指定できたらボタンを離し、回転ノブ（ロータリー・エンコーダ）１０の回転方向に応じて指定した桁の数値を増加又は減少させて変更する。制御回路１５は、例えばマイクロプロセッサを搭載し、これらの動作を制御する。周知のようにデータ処理装置には、上述のような数値又は文字変更設定装置２０を装備したものがあり、設定した数値又は文字を受けつける。
　
　周知刊行物６の記載
　原査定の拒絶の理由に引用された特開平９−７５３０７号公報（平成９年３月２５日出願公開。以下、「周知刊行物６」という。）には、検眼装置に関して、図面とともに、以下の事項が記載されている。　
　
【００２８】（実施の形態１）図１に示す実施の形態１の検眼装置１は、検眼テーブル２から上方に突設した支柱３により被検眼の自覚式検眼を行う検眼ユニット５を支持するとともに、この検眼ユニット５から例えば５ｍ離れた位置に例えばランドルトマークを用いた視力値チャート，レッドグリーンチャート，クロスシリンダテストチャート，十字テストチャート，乱視テストチャート，不等像視テストチャート等の各種の検眼視標６ａを切り替えて呈示する視力表装置６を配置した構成となっている。
【００２９】前記検眼テーブル２のテーブル面上には、検者が被検者の眼の自覚式検眼を進行する際に使用する各種の検眼情報を表示する表示手段９及びこの表示手段９の画面に表示する各種の検眼情報の表示切り替え、選択、決定を行う操作手段としてのジョグダイヤル１２付きのマウス１０を配置している。
　
【００４０】前記検眼数値表示コントローラ３６は、前記ジョグダイヤル１２から、その回転操作方向（図２に示すａ，ｂ方向）に応じた方向性を伴う切り替え支持信号が送出されたとき、この切り替え支持信号に基づき、数値表示部２１の球面度数（Ｓ），円柱度数（Ｃ），軸角度（Ａ），瞳孔間距離（ＰＤ）等の各表示エリアに表示する各種の数値を順方向（０．００、０．１０、０．２０、…等）又は逆方向（２．００、１．９０、１．８０、…等）に切り替えつつ数値表示部２１の前記ポインタＰで指定されるいずれかの表示エリアに表示するようになっている。
　
【００４２】同様に、前記検眼視標表示コントローラ３７は、前記ジョグダイヤル１２から、その回転操作方向（図２に示すａ，ｂ方向）に応じた方向性を伴う切り替え支持信号が送出されたとき、この切り替え支持信号に基づき、チャート表示部２４においてポインタＰで指定され被検チャート表示部２５に大きく表示されているいずれかのチャートを基準にして順方向又は逆方向への切り替え表示を行うようになっている。また、前記検眼視標表示コントローラ３７は、前記ジョグダイヤル１２からａ方向又はｂ方向の回転操作量の大小に応じた早遅を伴う切り替え支持信号が送出されたとき、上述した順方向又は逆方向への切り替えを早く又はゆっくりと行うようになっている。
　
　周知刊行物７の記載
　特開平８−２８９８７２号公報（平成８年１１月５日出願公開。以下、「周知刊行物７」という。）には、検眼装置に関して、図面とともに、以下の事項が記載されている。　
　
【０００４】（略）　
（コントロ−ラ）  図２は装置の制御系を説明するためのブロック図である。１０はＬＣＤ等で構成されるディスプレイであり、ディスプレイ１０は検眼情報等の種々の画面を切替え表示したり、複数の画面をオ−バラップして表示する。１１はマイクロコンピュ−タ回路であり、マイクロコンピュ−タ回路１１はコントロ−ラ５全体及びディスプレイ１０を制御するとともに、入力された指令信号やプログラム信号を各装置に送出する。マイクロコンピュ−タ回路１１にはディスプレイ１０に表示する検眼操作画面や検眼プログラム入力画面等の制御プログラムを記憶したメモリ１２と、複数の検眼プログラムを書き込み記憶するメモリ１３が接続されている。１４はディスプレイ１０上に表示されるポインタ−を使用して指令入力するための入力手段として機能するマウスであり、マウス１４は左右２つのクリックスイッチ１４ａ、１４ｂを有する。１５は文字入力等に使用するキ−ボ−ドである。これらマウス１４、キ−ボ−ド１５もマイクロコンピュ−タ回路１１に接続される。なお、コントロ−ラ５は装置の操作制御手段及び検眼プログラムの入力手段として専用に構成しても良いが、ウィンドウ表示機能を搭載した市販のノ−ト型パ−ソナルコンピュ−タを使用することもできる。
【０００５】（略）
（自覚式屈折力測定装置）  ２０は自覚式屈折力測定装置２を制御するマイクロコンピュ−タ回路である。マイクロコンピュ−タ回路１６からの自覚式屈折力に関する信号を受けたマイクロコンピュ−タ回路２０は、駆動回路２１を介してモ−タ２２を駆動し、弱球面ディスク２３、強球面ディスク２４、補助レンズディスク２５、クロスシリンダ−ディスク２６等を回転させ、所定の光学系を検査窓に配置する。
（投影式視標呈示装置）  ３０は視標呈示装置４を制御するマイクロコンピュ−タ回路である。マイクロコンピュ−タ回路１６からの視標に関する信号を受けたマイクロコンピュ−タ回路３０は、駆動回路３１を介してランプ３２を点灯すると共に、駆動回路３３を介しモ−タ３４を駆動し、視標が描かれた視標ディスク３５、マスクディスク３６を回転して所定の検査視標を被検眼の前方に置かれた図示なきスクリ−ンに投影する。
　
【０００８】被検者の検査眼は検査眼選択キ−群５４でポインタ指定する。「Ｒ］を選択すると、自覚式屈折力測定装置２の左検査窓には補助レンズの１種である遮蔽版が配置され、右眼が検査できる状態になる。主表示部５２には図柄５２ａにより自覚式屈折力測定装置２の左右の検査窓に配置される補助レンズの種類が表示される。被検者に呈示する視標は、操作画面５０の右側に表示されている図柄表示の視標キ−群５５の中から所望の視標をポインタ指定する。マイクロコンピュ−タ回路１１は指令された視標に関する信号をリレ−ユニット６を介して視標呈示装置４に送り、視標呈示装置４は指令された視標を呈示する。また、マイクロコンピュ−タ回路１１は選択された視標信号に基づき、数値切換エリア５６に呈示視標を図柄表示する。図３の画面例では、視力値視標が選択指定されたことを示す。視力値視標が選択されると、数値切換エリア５６内の右側には横マスクを上下に移動するための横マスクキ−５６ａ，５６ｂが表示される。この横マスクキ−５６ａ，５６ｂをポインタ指定すると、視標呈示装置４は同一視力値のみ呈示のマスクを掛ける。また、視標が選択されると、コメント表示部５７に被検者に質問する内容や、操作内容を示すコメントが表示される。
【０００９】また、マイクロコンピュ−タ回路１１は指令された視標信号に対応して、主表示部５２に調整すべき測定項目を枠表示５２ｂで表示する。この表示も視標に基づいて行われる。例えば、視力値視標では球面度数（Ｓ）が数値切換え可能となる。（略）また、測定項目記号５２ｃの測定項目記号をポインタ指定すると、両眼検査にすることができる。検眼手順において、乱視軸及び乱視度数検査のためにドットチャ−トが選択されると、一般クロスシリンダモ−ド又はオ−トクロスシリンダモ−ドになり（一般かオ−トかは図示なきセッティング画面で予め設定しておく）、数値切換エリア５６にはその図柄が表示される。図５の（ａ）は一般クロスシリンダモ−ドのときの表示例である。「１」キ−８５ａと「２」キ−をポインタ指定（指定したほうがリバ−ス表示される）することにより、クロスシリンダが反転し、キ−８５ａ、８５ｂのエリアから上部にポインタを移動してクリック１４ａ，１４ｂの操作により測定項目数値を変更できる。図５の（ｂ）はオ−トクロスシリンダモ−ドのときの表示例である。オ−トクロスでは図柄表示８５ｃが変更した軸角度に応じて変わるので、この表示により、どちらがハッキリ見えるかの被検者への質問がしやすく、数値変更をするためのマウス１４のクリック操作も分かりやすい。
【００１０】斜位検査等によりプリズム調整を行う場合は、呈示視標をポインタ指定して選択した後、主表示部５２の右上にあるプリズムキ−５８をクリック指定する。
　
　周知刊行物８の記載
　特開昭６４−６２１１７号公報（昭和６４年３月８日出願公開。以下、「周知刊行物８」という。）には、ディスプレイ付検眼装置に関して、図面とともに、以下の事項が記載されている。　
　
　「数値変更
　次にデーター数値の変更について説明する。
　データ数値は検眼モード切換スイッチ群（９）中のロータリエンコーダー（２４）又は＋−スイッチを操作してリバース表示されている部分の数値を変えることができる。
　ロータリエンコーダー（２４）により、レンズ交換式電動化検眼器のＳＰＨ値を換える場合を説明する。これを回すと、リバース表示されている部分の数値を変えるとともに、入出力回路（２８）マイクロコンピュータ回路（２１）、レンズ交換式電動化検眼器のマイクロコンピュータ回路（３３）入出力回路（３４）を介しデータコードが送られ、パルスモータードライバー（３５）モータ（３６）にて弱球面レンズディスク（３７）及び強球面レンズディスク（３８）を回転駆動させ、検眼窓にデータに対応したレンズをセットする。
　同様にして検眼モード切換スイッチ群（９）中のスイッチを押すことによりＣＹＬ値、ＡＸＩＳ値を変えることができる。」（第４頁左下欄第１４行乃至右下欄第１３行）
　
　周知刊行物９の記載
　特開平７−２４８４５０号公報（平成７年９月２６日出願公開。以下、「周知刊行物９」という。）には、顕微鏡システムに関して、図面とともに、以下の事項が記載されている。　
　
【００３７】（略）透明タッチスイッチパネル５１上の任意の位置を押下すると、その位置がＣＰＵ４５に認識されるようになっている。本実施例では、例えば図６に示すような初期画面を表示する。
　
【００４０】次に、以上のように構成された本実施例の動作について図９を参照して説明する。なお、図６に示す初期画面においてズーム倍率選択用のスイッチがスイッチＣであるとする。
【００４１】図６に示す初期画面が表示されている状態で、スイッチＣが押下げられると、その押下位置がＣＰＵ４５へ入力される。ＣＰＵ４５は現在表示されている画面の種別と押下位置との組合わせから指示内容を判断する。この場合は、ズーム倍率の変更が要求されていると認識してズーム倍率選択画面を表示パネル５２に表示する。
【００４２】次に、複数の固定倍率の中から特定のズーム倍率を選択するダイレクト設定か否か判断し、ダイレクト設定の指示が入力された場合は図７に示すズーム固定倍率選択画面６０−１を表示させる。また、ダイレクト設定以外の指示が入力された場合は図８に示すズーム任意倍率選択画面６０−２を表示させる。
　
【００４４】一方、ズーム任意倍率選択画面６０−２が表示された状態で、ジョグダイヤル４９が操作されると、ジョグダイヤル４９の回転方向からズームレンズ２２の移動方向（倍率の増加／減少方向）を判断し、ジョグダイヤル４９が操作されている期間、その判断した方向へズームレンズ２２を移動させるための駆動指令を送出する。また、同時にズーム任意倍率選択画面６０−２のバーグラフ６３をジョグダイヤル４９の回転方向へ操作期間だけ変化させる。
　
　周知刊行物１０の記載
　特開平４−２３５６２３号公報（平成４年８月２４日出願公開。以下、「周知刊行物１０」という。）には、情報選択装置に関して、図面とともに、以下の事項が記載されている。　
　
【００１３】ここで図１〜図５を用いてシステムの動作について説明すると、例えばライトペン２を片手で操作しながら表示手段１に表示されたシンボルマーク３１ａをピツクすると、そのシンボルマークの位置が画像位置検知部３で検知され、その位置信号が画像形成部４に送出される。ここで、ライトペン２の回転入力手段２ａを反時計回りに回転させると、図４に示す可変抵抗器２１ａの抵抗値を、例えば下げるように動作して、その回転量に応じて所要の出力電位ＶｏがＡ／Ｄ変換器２２に出力されて、デイジタル信号が画像回転量認識部５に送出され、例えば９０°の回転（反時計回り）と認識すると、画像位置検知部３が検知したシンボルマーク３１ａから３１ｂに変更される。さらに９０°回転させると３１ｃに変更される。
【００１４】なお、同様にして図５に示した（ｂ）から（ｄ）までの欄のようなシンボルマーク３２ａ，３３ａ，３４ａに対しても、選択した後に回転入力手段２ａを回転させて線の太さの種類を選ぶことができる。
　
（３）対比
　そこで、本願補正発明と刊行物１記載発明とを比較すると、刊行物１記載発明の「コントローラ」は、作動油の予備加熱を管理し、作動油１４の加熱のために温度制御部１２を作動させ、ディスプレイの画面上に表示されているタッチエリアで指定される前記所定時間および所定温度等の入力項目を選択するタッチパネルを備えるから、本願補正発明の「少なくとも自覚式検眼装置と検眼用視標呈示装置とを有する検眼装置の各装置をコントロールする検眼装置のコントロールパネル装置」とは、「装置をコントロールするコントロールパネル装置」である点で一致する。
　
　また、刊行物１記載発明の「タッチパネル」は、タッチ接点を選択的に閉塞状態にすることにより、ディスプレイの画面上に表示されているタッチエリアで指定される前記所定時間および所定温度等の入力項目を選択するから、本願補正発明の「表示画面に表示された特定の入力対象を表す画像に操作手段を接触又は近接させるタッチ操作を行うことによって前記操作対象に入力を行うタッチパネル装置」に相当する。
　
　また、刊行物１記載発明は、タッチエリアに対応するタッチパネルのタッチ接点を操作し、ストローク基準値の入力指定を行い、キーボード１８から目標温度値を数値入力するから、本願補正発明の「前記特定の入力対象を表す画像にタッチ操作を行ってこの特定の入力対象を反転表示させて選定したことを示した後に該タッチ操作と別個の入力操作をすることによって前記選定された特定の入力対象に対して前記タッチ操作とは異なる入力を行う外部入力装置」とは「前記特定の入力対象を表す画像にタッチ操作を行ってこの特定の入力対象を選定した後に該タッチ操作と別個の入力操作をすることによって前記選定された特定の入力対象に対して前記タッチ操作とは異なる入力を行う外部入力装置」を備える点で一致する。
　
　また、刊行物１記載発明は、タッチエリアに対応するタッチパネルのタッチ接点を操作し、ストローク基準値の入力指定を行い、キーボード１８から目標温度値を数値入力するから、本願補正発明の「特定の入力対象が視力値、球面度数、乱視度数、乱視軸角度、プリズム度数又は左右瞳孔間距離であり、これらの数値を入力するもの」とは、「特定の入力対象が数値を入力するもの」を備える点で一致する。
　
　また、刊行物１記載発明は、キーボード１８から目標温度値を数値入力するから、本願補正発明の「外部入力装置が、回転操作によって前記数値を変化させて選定・決定して前記表示画面に表示した数値の度数のレンズに交換する装置」とは、「外部入力装置が、前記数値を選定・決定する装置」を備える点で一致する。
　
　したがって、両者の発明の一致点、相違点は以下のとおりである。
　
［一致点］
　
　「装置をコントロールするコントロールパネル装置において、
　表示画面に表示された特定の入力対象を表す画像に操作手段を接触又は近接させるタッチ操作を行うことによって前記操作対象に入力を行うタッチパネル装置と、
　特定の入力対象を表す画像にタッチ操作を行ってこの特定の入力対象を選定した後に該タッチ操作と別個の入力操作をすることによって前記選定された特定の入力対象に対して前記タッチ操作とは異なる入力を行う外部入力装置とを有しており、
　特定の入力対象が数値を入力するものであり、
　外部入力装置が、前記数値を選定・決定する装置を有するものであるコントロールパネル装置。」である点。
　
［相違点１］
　本願補正発明においては、自覚式検眼装置と検眼用視標呈示装置とを有する検眼装置の各装置をコントロールする検眼装置のコントロールパネル装置であって、特定の入力対象が視力値、球面度数、乱視度数、乱視軸角度、プリズム度数又は左右瞳孔間距離であるのに対して、刊行物１記載発明では、装置をコントロールするコントロールパネル装置である点。
　
［相違点２］
　特定の入力対象を選定する際に、本願補正発明においては、この特定の入力対象を反転表示させて選定したことを示すのに対して、刊行物１記載発明では、明らかでない点。
　
［相違点３］
　タッチ操作を行ってこの特定の入力対象を選定した後のタッチ操作とは異なる入力を行う外部入力装置が、本願補正発明においては、回転操作によって数値を変化させるものであるのに対して、刊行物１記載発明では、明らかでない点。
　
［相違点４］
　本願補正発明においては、表示画面に表示した数値の度数のレンズに交換する装置を有するのに対して、刊行物１記載発明では、明らかでない点。
　
（４）判断
［相違点１］について
　自覚式検眼装置をコントロールするコントロールパネル装置を設けた検眼装置は周知刊行物２、３に記載されているように周知である。
　また、検眼装置として、自覚式検眼装置と検眼用視標呈示装置とを設け、入力対象を視力値、球面度数、乱視度数、乱視軸角度、プリズム度数又は左右瞳孔間距離とすることも、周知刊行物６、７に記載されているように周知である。
　
　そうすると、刊行物１記載発明において、コントロールパネル装置を自覚式検眼装置と検眼用視標呈示装置とを有する検眼装置の各装置をコントロールする検眼装置のコントロールパネル装置とし、入力対象を視力値、球面度数、乱視度数、乱視軸角度、プリズム度数又は左右瞳孔間距離とすることは、当業者が容易になし得ることである。
　
［相違点２］について
　特定の入力対象を反転表示させて選定したことを示すことは、周知刊行物７、８に記載されているように周知である。
　
　そうすると、刊行物１記載発明において、特定の入力対象を反転表示させて選定したことを示すことは、当業者が適宜なし得ることである。
　
［相違点３］について
　特定の入力対象を選定した後に、回転操作によって数値を変化させる外部入力装置を設けることは、周知刊行物４乃至６に記載されているように周知である。
　なお、タッチ操作と回転操作を行う外部入力装置を設けることもまた、周知刊行物９、１０に記載されているように周知である。
　
　そうすると、刊行物１記載発明において、タッチ操作を行ってこの特定の入力対象を選定した後のタッチ操作とは異なる入力を行う外部入力装置として、回転操作によって数値を変化させるものとすることは、当業者が容易になし得ることである。
　
［相違点４］について
　検眼装置において、表示画面に表示した数値の度数のレンズに交換する装置を設けることは、周知刊行物７、８に記載されているように周知である。
　
　そうすると、刊行物１記載発明において、検眼装置のコントロールパネル装置とした際に表示画面に表示した数値の度数のレンズに交換する装置を設けることは、当業者が適宜なし得ることである。
　
　そして、本願補正発明のように構成したことによる効果も、刊行物１記載発明及び周知技術から当業者が予測できる範囲のものである。　
　
　したがって、本願補正発明は、刊行物１記載発明及び周知技術に基づいて、当業者が容易に発明をすることができたものであるから、特許法第２９条第２項の規定により特許出願の際独立してして特許を受けることができないものである。
　
（５）むすび 
 　以上のとおり、本件補正は、特許法第１７条の２第５項において準用する同法第１２６条第５項の規定に違反するので、特許法第１５９条第１項の規定において読み替えて準用する同法第５３条第１項の規定により却下すべきものである。
　
第３．本願発明について 
　
１．本願発明
　平成１７年６月１３日付けの手続補正は上記のとおり却下されたので、本願の請求項２に係る発明（以下、「本願発明」という。）は、平成１６年１１月１日付けの手続補正書の請求項２に記載された事項により特定される、以下のとおりのものである。 
　
「【請求項１】少なくとも自覚式検眼装置と検眼用視標標呈示装置とを有する検眼装置の各装置をコントロールする検眼装置のコントロールパネル装置において、
表示画面に表示された特定の入力対象を表す画像に操作手段を接触又は近接させるタッチ操作を行うことによって前記操作対象に入力を行うタッチパネル装置と、
前記特定の入力対象を表す画像にタッチ操作を行ってこの特定の入力対象を選定した後に該タッチ操作と別個の入力操作をすることによって前記選定された特定の入力対象に対して前記タッチ操作とは異なる入力を行う外部入力装置とを有しており、
前記特定の入力対象が数値を入力するものであり、
前記外部入力装置が、回転操作によって前記数値を変化させて選定・決定する装置を有するものであることを特徴とする検眼装置のコントロールパネル装置。 
【請求項２】前記入力対象が、視力値、球面度数、乱視度数、乱視軸角度、プリズム度数又は左右瞳孔間距離であることを特徴とする請求項１に記載の検眼装置のコントロールパネル装置。」
　
２．刊行物の記載
　
　刊行物１記載発明及び周知技術は、前記「第２．（２）」で述べたとおりである。
　
３．対比・検討
　
　本願発明は、前記「第２．（１）」で検討した本願補正発明から、「外部入力装置」についての限定事項である「表示画面に表示した数値の度数のレンズに交換する」との構成、および「特定の入力対象を選定」についての限定事項である「反転表示させて選定したことを示」すとの構成を省いたものである。
　
　そうすると、本願発明の構成要件を全て含み、さらに他の構成要件を付加したものに相当する本願補正発明が、前記「第２．（４）」に記載したとおり、刊行物１記載発明及び周知技術に基づいて、当業者が容易に発明をすることができたものであるから、本願発明も、同様の理由により、刊行物１記載発明及び周知技術に基づいて、当業者が容易に発明をすることができたものである。 
　
第４．むすび
　以上のとおり、本願発明は、刊行物１記載発明及び周知技術に基づいて、当業者が容易に発明をすることができたものであるから、特許法第２９条第２項の規定により特許を受けることができない。
　
　よって、結論のとおり審決する。